(57)【要約】【課題】スライダーの移動を阻止するロック機構を備えることで、筆記芯の不要な繰り出し動作を阻止することができるシャープペンシルを提供すること。【解決手段】筆記芯Ｌの前進を許容し後退を阻止するチャックユニット１１と、このチャックユニットの前方に位置し、チャックユニットに対して軸方向に相対移動するスライダー７と、スライダーを前方に押し出すように付勢するスプリング１９と、前記スライダーに取り付けられ筆記芯に摺接して筆記芯を一時的に保持する保持チャック１０とが備えられる。前記スライダー７の後退動作に続く前記スプリング１９によるスライダーの前進動作によって、筆記芯をチャックユニット１１から先端ガイド部材に向けて繰り出すように構成され、かつスライダー７が前記チャックユニット１１に対して軸方向に相対移動するのを阻止するロック機構８が備えられる。【選択図】図２
2014213548.tif 000002
【特許請求の範囲】
【請求項１】
筆記芯の前進を許容し後退を阻止するチャックユニットと、前記チャックユニットの前方に位置し、チャックユニットに対して軸方向に相対移動するスライダーと、当該スライダーを前方に押し出すように付勢するスプリングと、前記スライダーに取り付けられ前記筆記芯に摺接して当該筆記芯を一時的に保持する保持チャックとが備えられ、
前記スライダーの後退動作に続く前記スプリングによるスライダーの前進動作によって、前記筆記芯を前記チャックユニットから先端ガイド部材に向けて繰り出すように構成され、かつ前記スライダーが前記チャックユニットに対して軸方向に相対移動するのを阻止するロック機構を備えたことを特徴とするシャープペンシル。
【請求項２】
前記ロック機構は、前記スライダーと当該スライダーを覆う口先部材との間に形成され、前記スライダーには外側に向かって一部が突出する係止部が備えられ、前記口先部には前記スライダーの係止部が挿入されるガイド溝が形成され、
前記口先部に形成された前記ガイド溝は、前記スライダーの前進位置において前記係止部が位置する第１ガイド溝部と、前記スライダーの後退位置において前記係止部が位置する第２ガイド溝部とが、前記口先部材の周側面において連通して形成されていることを特徴とする請求項１に記載されたシャープペンシル。
【請求項３】
前記口先部材のガイド溝に形成される第１ガイド溝部と第２ガイド溝部は、前記口先部材の周側面において、軸方向に直交するように形成され、かつ前記第１ガイド溝部と第２ガイド溝部とは、前記口先部材の周側面に沿って軸方向に対して傾斜する傾斜溝を介して連通されていることを特徴とする請求項２に記載されたシャープペンシル。
【請求項４】
前記スライダーの係止部に連結されて、前記口先部材の外側に触指部材が配置され、前記触指部材の操作により前記スライダーの後退移動が可能に構成されていることを特徴とする請求項１ないし請求項３のいずれか１項に記載されたシャープペンシル。
【請求項５】
前記スライダーに前記先端ガイド部材が取り付けられ、筆記芯の摩耗による先端ガイド部材の後退動作に基づいて、前記スライダーが後退移動されるように構成したことを特徴とする請求項１ないし請求項３のいずれか１項に記載されたシャープペンシル。
【請求項６】
前記チャックユニットは、軸芯に筆記芯の挿通孔が形成されると共に、前端部が軸方向に形成された複数のスリットにより放射方向に分割されたチャック本体部と、円筒状に形成されて前方に向かって内径を拡大するテーパ面を備えたホルダーと、前記チャック本体部と前記ホルダーのテーパ面との間に介在された複数のボールとにより構成したボールチャックであることを特徴とする請求項１ないし請求項５のいずれか１項に記載されたシャープペンシル。
【発明の詳細な説明】
【技術分野】
【０００１】
この発明は、筆記芯の繰り出し操作が容易になし得ると共に、筆記芯の不要な繰り出し動作を阻止することができるロック機構を備えたシャープペンシルに関する。
【背景技術】
【０００２】
シャープペンシルは周知のとおり、軸筒の例えば後端部に突出するノック部をノック操作することで、軸筒の前端部に配置された先端ガイド部材より、筆記芯が一定量繰り出されるように作用する。すなわち、筆記動作に伴い芯が摩耗するために、一定の筆記動作毎に前記ノック部をノック操作をする必要がある。
【０００３】
前記したノック式のシャープペンシルによると、筆記中において筆記芯がある程度摩耗する度にノック操作を比較的頻繁に繰り返す必要があり、またノック操作をするは、筆記の姿勢から軸筒を持ち替えて親指等によりノック操作をすることを余儀なくされる。
したがって、芯の繰り出し操作のための前記ノック操作が煩わしいだけでなく、筆記の能率も落とすことになる。
【０００４】
そこで特許文献１には、筆記芯の繰り出し手段としてボールチャック機構が用いられると共に、筆記芯の先端ガイドパイプが軸方向に移動可能なスライダーに取り付けられ、前記スライダーに筆記芯を摩擦により一時的に保持することができる保持チャックを備たオートシャープと称されるシャープペンシルが提案されている。
このシャープペンシルは、筆記芯の摩耗に応じて先端ガイドパイプが後退するように構成されており、一画の筆記が終了した時点で、先端ガイドパイプが元の状態に復帰するのを利用して筆記芯を僅かに繰り出すように作用する。
【先行技術文献】
【特許文献】
【０００５】
【特許文献１】特開昭６２−１５８０９９号公報
【発明の概要】
【発明が解決しようとする課題】
【０００６】
ところで、前記特許文献１に開示されたシャープペンシルによると、携帯時などにおいて振動を受けて先端ガイドパイプが後退移動した場合、その復帰と共に筆記芯が不要に繰り出される問題が発生する。したがって、筆記芯が折損するなどの問題を招くだけでなく、繰り出された筆記芯により衣服を汚染させるなどの問題も招来させる。
【０００７】
この発明は、前記したシャープペンシルの問題点に着目してなされたものであり、携帯時などにおいて振動を受けても、スライダーの移動を阻止するロック機構を備えることで、筆記芯の不要な繰り出し動作を阻止することができるシャープペンシルを提供することを課題とするものである。
【課題を解決するための手段】
【０００８】
前記した課題を解決するためになされたこの発明にかかるシャープペンシルの基本形態は、筆記芯の前進を許容し後退を阻止するチャックユニットと、前記チャックユニットの前方に位置し、チャックユニットに対して軸方向に相対移動するスライダーと、当該スライダーを前方に押し出すように付勢するスプリングと、前記スライダーに取り付けられ前記筆記芯に摺接して当該筆記芯を一時的に保持する保持チャックとが備えられ、前記スライダーの後退動作に続く前記スプリングによるスライダーの前進動作によって、前記筆記芯を前記チャックユニットから先端ガイド部材に向けて繰り出すように構成され、かつ前記スライダーが前記チャックユニットに対して軸方向に相対移動するのを阻止するロック機構を備えたことを特徴とする。
【０００９】
この場合、前記ロック機構は、好ましくは前記スライダーと当該スライダーを覆う口先部材との間に形成され、前記スライダーには外側に向かって一部が突出する係止部が備えられ、前記口先部材には前記スライダーの係止部が挿入されるガイド溝が形成される。加えて、前記口先部材に形成された前記ガイド溝は、前記スライダーの前進位置において前記係止部が位置する第１ガイド溝部と、前記スライダーの後退位置において前記係止部が位置する第２ガイド溝部とが、前記口先部材の周側面において連通して形成された構成にされる。
【００１０】
さらに好ましくは、前記口先部材のガイド溝に形成される第１ガイド溝部と第２ガイド溝部は、前記口先部材の周側面において、軸方向に直交するように形成され、かつ前記第１ガイド溝部と第２ガイド溝部とは、前記口先部材の周側面に沿って軸方向に対して傾斜する傾斜溝を介して連通された構成が採用される。
【００１１】
そして、好ましい一つの形態においては、前記スライダーの係止部に連結されて、前記口先部材の外側に触指部材が配置され、前記触指部材の操作により前記スライダーの後退移動が可能に構成される。
【００１２】
また、好ましい他の一つの形態においては、前記スライダーに前記先端ガイド部材が取り付けられ、筆記芯の摩耗による先端ガイド部材の後退動作に基づいて、前記スライダーが後退移動されるように構成される。
【００１３】
前記したいずれの形態においても、前記チャックユニットは、軸芯に筆記芯の挿通孔が形成されると共に、前端部が軸方向に形成された複数のスリットにより放射方向に分割されたチャック本体部と、円筒状に形成されて前方に向かって内径を拡大するテーパ面を備えたホルダーと、前記チャック本体部と前記ホルダーのテーパ面との間に介在された複数のボールとにより構成したボールチャックを好適に採用することができる。
【発明の効果】
【００１４】
前記した構成のシャープペンシルによると、筆記芯の前進を許容し後退を阻止するチャックユニットが用いられ、このチャックユニットに対して軸方向に相対移動し、スプリングによって前方に付勢されるスライダーには、筆記芯に摺接して当該筆記芯を一時的に保持する保持チャックが備えられる。したがって、前記スライダーを後退動作させることで、前記スプリングによるスライダーの前進動作によって、前記筆記芯を先端ガイド部材から繰り出すことができる。
【００１５】
そして、前記スライダーを後退動作させた状態に保持することができるロック機構が備えられているので、例えばシャープペンシルの携帯時などにおいて、たとえ振動等を受けても、前記チャックユニットに対するスライダーの相対移動は阻止される。
これにより筆記芯の不要な繰り出し動作を効果的に阻止することができるシャープペンシルを提供することができる。
【図面の簡単な説明】
【００１６】
【図１】この発明に係るシャープペンシルの第１の形態について全体構成を示した断面図である。
【図２】図１に示すシャープペンシルの前半部分を拡大して示した断面図である。
【図３】同じくスライダーの移動をロックした状態の断面図である。
【図４】口先部材の外観構成を示した斜視図である。
【図５】スライダーの外観構成を示した斜視図である。
【図６】スライダーに先端ガイド部材および螺合部材を取り付けた状態の中央断面図である。
【図７】スライダーの側面図である。
【図８】スライダーを後端部側から見た正面図である。
【図９】この発明に係るシャープペンシルの第２の形態について前半部分を拡大して示した断面図である。
【図１０】同じくスライダーの移動をロックした状態の断面図である。
【発明を実施するための形態】
【００１７】
この発明に係るシャープペンシルについて、図に示す実施の形態に基づいて説明する。なお、以下に示す各図においては、同一部分もしくは同一の機能を果たす部分を同一符号で示しているが、紙面の都合により一部の図面においては代表的な部分に符号を付け、その詳細な構成はその他の図面に付けた符号を引用して説明する場合もある。
【００１８】
先ず図１〜図７は、この発明に係るシャープペンシルの第１の実施の形態について示したものであり、そのうち図１は全体構成を断面図で示したものである。
図１に示されているように、シャープペンシルの外郭を構成する軸筒は、先軸１および後軸２により構成されており、前記先軸１および後軸２は、中央の連結パイプ３を介して直線状に連結されている。
【００１９】
すなわち、前記連結パイプ３は円筒状に形成されると共に、軸方向の後半部が後軸２の前端部に嵌合されて取り付けられている。また、連結パイプ３の前半部には雄ねじが形成されており、先軸１の後端部に形成された雌ねじが螺合されることで、前記先軸１および後軸２は連結パイプ３を中央にして連結されている。
【００２０】
前記先軸１の前端部には、図２に示されているとおり、短軸状の接続部材４が螺合されて取り付けられ、この接続部材４の前端部に口先部５が嵌合されて取り付けられている。
すなわち、口先部５は前記接続部材４を介して、前記先軸１の前端部に対して着脱可能に取り付けられている。
この口先部５は、図４にも示されているとおり、円筒状に形成されて前方に向かって段状に細くなるように構成されており、この実施の形態においては、口先部５の円柱状の先端部５ａには、筆記芯Ｌの先端ガイド部材として機能する先端パイプ６が取り付けられている。
【００２１】
図６には、前記した口先部５を中央にして、口先部５の前端部に先端パイプ６が取り付けられると共に、口先部５の後端部に短軸状の接続部材４が嵌合により取り付けられた構成が断面図で示されている。なお図６に示す符号４ａは、前記した先軸１に対して螺合される接続部材４に形成された雄ねじを示している。
【００２２】
また口先部５の周側面には、図４および図６に示されているように、口先部５の後端部において軸対称の位置にそれぞれ軸方向に向かって形成された一対のガイド溝５ｂが形成されている。
このガイド溝５ｂは、後述するスライダー７が軸方向に移動するのを阻止するロック機構８の機能を果たすものであり、このガイド溝５ｂは第１ガイド溝部５ｃと第２ガイド溝部５ｄとが、軸方向に対して傾斜する傾斜溝５ｅを介して連通した構成にされている。
なお、このガイド溝５ｂによるスライダー７のロック機構８の作用は、後で詳細に説明する。
【００２３】
一方、図２に示されているように前記した口先部５内には、スライダー７が軸方向にスライド可能に収容されている。このスライダー７も前記口先部５と同様に、円筒状に形成されて前方に向かって段状に細くなるように構成されており、その単体構成が図５、図７、図８に示されている。
【００２４】
図５、図７、図８に示されているとおり、このスライダー７の後端部には軸対称の位置、すなわち１８０度対向する位置に外側に向かって連結部７ａが形成され、この連結部７ａを介して環状部材７ｂがスライダー７と一体に成形されている。
前記スライダー７に形成された一対の連結部７ａは、スライダー７が前記口先部５内に収容された状態で、口先部５の後端部において軸対称の位置にそれぞれ形成された前記した一対のガイド溝５ｂ内に挿通されるように構成されている。
【００２５】
これにより、スライダー７の前記環状部材７ｂは、図２に示すように口先部５の後端部において、当該口先部５の外周を囲むようにして配置される。
すなわち、スライダー７の一対の連結部７ａが前記口先部５のガイド溝５ｂ内に挿通された後に、図６に示すように口先部４の後端部に、前記接続部材４が嵌合されて取り付けられることになる。
【００２６】
そして、スライダー７の前記した環状部材７ｂに対して、その外側にはリング状の触指部材９が取り付けられている。すなわち、この実施の形態においては前記リング状の触指部材９は、先軸１の前端部の直前に配置されている。
一方、前記スライダー７の前端開口７ｃ内には中央に通孔を形成したゴム製の保持チャック１０が収容されており、この保持チャック１０の中央の通孔は前記筆記芯Ｌの周面に摺接して筆記芯Ｌを一時的に摩擦により保持するように作用する。
【００２７】
前記スライダー７の内部空間には、前記筆記芯Ｌを把持するチャックユニットとしてのボールチャック１１が配置されている。このボールチャック１１には、円筒状に形成されて内周面が前方に向かって広がるテーパ面を備えたホルダー１２と、このホルダー１２内に収容され、軸芯に沿って前記筆記芯Ｌの通孔が形成されると共に、その前端部が軸方向に形成された複数のスリットにより放射方向に分割されたチャック本体部１３と、前記チャック本体部１３の外周面と前記ホルダー１２の内周面との間に配置された複数のボール１４とが備えられている。
なお、前記ホルダー１２の前端部の内周面には、前記したボール１４が脱落するのを阻止する環状のストッパ部材１５が嵌め込まれている。
【００２８】
したがって、前記ボールチャック１１は、前記筆記芯Ｌに筆記圧が加わった場合には、チャック本体部１３がボール１４と共に円筒状のホルダー１２内のテーパ面に当接するために筆記芯Ｌはチャック本体部１３によって強力に把持される。これにより、ボールチャック１１において筆記芯Ｌの後退は阻止される。
【００２９】
一方、前記筆記芯Ｌを前方に引き出す力が働く場合には、チャック本体部１３は前記ホルダー１２による作用を受けないために、筆記芯Ｌを比較的抵抗なく前方に引き出すことができる。すなわち、ボールチャック１１は、前記筆記芯Ｌの前進を許容し後退を阻止するように作用する。
【００３０】
前記したチャック本体部１３の長さ方向の中央部を囲むようにしてコイル状のスプリング１７が配置されており、このスプリング１７の前端部は前記ホルダー１２に係止され、スプリング１６の後端部はチャック本体部１３に係止されている。
したがって、前記スプリング１７は、前記チャック本体部１３を軸方向の後方に向かって付勢するように働き、これにより前記ボールチャック１１は、筆記芯Ｌを把持した状態になされる。このスプリング１７を便宜上、チャック用スプリングと称呼する。
【００３１】
なお、前記ボールチャック１１を構成するホルダー１２の外周面に対して前記スライダー７は軸方向にスライド可能に構成されており、前記ホルダー１２はその後端部側においてホルダー支持パイプ１８の内周面に嵌合されて取り付けられている。
そして、前記スライダー７と前記接続部材４との間にはスプリング１９が収容されている。このスプリング１９は前記スライダー７を前方に押し出すように作用するものであり、前記スプリング１９を便宜上、スライダー押し出し用スプリングと称呼する。
【００３２】
また、前記接続部材４の後端部と、前記ホルダー支持パイプ１８に形成された大径部１８ａとの間にスプリング２１が収容されており、このスプリング２１によりホルダー支持パイプ１８の大径部１８ａを、先軸１内に形成された段部１ａに当接させている。
これにより、前記ホルダー１２を含むチャックユニット１１の位置決めを果たしており、前記スプリング２１を便宜上、チャックユニットの位置決めスプリングと称呼する。
【００３３】
一方、前記したチャック本体部１３の直後には、筆記芯Ｌの通孔を備えた短軸状の軸部材２２が、前記ホルダー支持パイプ１８内に軸方向に移動可能に配置されている。この短軸状の軸部材２２の後端部には、芯ケース２３が嵌合されて取り付けられており、後述するノック操作による芯ケース２３の前進動作に伴って、前記軸部材２２の前端部が前記チャック本体部１３の後端部に当接し、当該チャック本体部１３を前方に押し出すように作用する。
【００３４】
前記した後軸２の後端部の外側には、図１に示すようにクリップ２５が取り付けられており、また後軸２の後端部内には、ノック操作体２６が軸方向に移動可能に収容されている。そして、前記ノック操作体２６の前端部と前記連結パイプ３との間には、ノック操作体２６の戻しスプリング２７が配置されている。
【００３５】
さらに、前記ノック操作体２６の後端部には、筆記芯Ｌの補給孔２６ａが形成されると共に、補給孔２６ａが形成された隔壁部に当接するようにして前記芯ケース２３の後端部に取り付けられた短小な中継部材２８の後端部が嵌合されている。
また、前記した筆記芯Ｌの補給孔２６ａを閉塞するようにして消しゴム２９がノック操作体２６に対して着脱可能に装着され、前記消しゴム２９を覆うノック部材として機能するノックカバー３０が、ノック操作体２６の後端部の周面に着脱可能に取り付けられている。
【００３６】
したがって、ノック部材として機能する前記ノックカバー３０をノック操作することにより、前記ノック操作体２６を介して芯ケース２３は前進移動する。この芯ケース２３の前進移動により、図２に示す短軸状の軸部材２２が前進してチャック本体部１３を前方に押し出すように作用する。
これにより、チャック本体部１３は筆記芯Ｌを銜えたままホルダー１２に対して前進移動する。そしてノック操作の解除によりノック操作体２６は、戻しスプリング２７の作用により後退して図１に示す状態に復帰する。
【００３７】
この時、前記チャック本体部１３は前記チャック用スプリング１７の作用により後退するが、筆記芯Ｌはスライダー７内に収容された前記保持チャック９の摩擦によって保持されるため、チャック本体部１３の後退動作に伴って筆記芯Ｌはチャック本体部１３から相対的に引き出され、筆記芯Ｌの先端部は先端パイプ６から繰り出された状態を維持する。
したがって、前記したノック操作を繰り返すごとに、筆記芯Ｌを先端パイプ６から所定量ずつ繰り出すことができる。
【００３８】
また、前記ノックカバー２９をノックした状態に維持することで、チャック本体部１３は芯Ｌの把持を解除した状態になされるので、先端パイプ６から繰り出された状態の筆記芯Ｌを指先等で押し戻すことができる。
【００３９】
この実施の形態においては、前記した先軸１の前端部の直前にリング状に形成された触指部材９が配置されており、この触指部材９を軸方向の後方に向かって指先などで押し上げる操作をすることにより、図３に示すように前記スライダー７を後方に向かってスライドさせることができる。
前記触指部材９の押し上げ動作後には、前記スプリング１９の作用によりスライダ７は前進するので、保持チャック１０の摩擦により保持された筆記芯Ｌは、前記したボールチャック１１から引き出され、筆記芯Ｌの繰り出し動作が実現される。
【００４０】
したがって、この実施の形態によると、前記したノックカバー３０をノック操作することにより、もしくは前記触指部材９を軸方向の後方に向かって押し上げる操作をすることにより、前記したスプリング１９の作用により筆記芯Ｌを先端パイプ６から繰り出すことができる。
したがって、特に触指部材９を利用する場合には、軸筒を把持したままの筆記の姿勢の状態で、例えば人差し指により触指部材９を若干押し上げる操作によって、芯Ｌを先端パイプより繰り出すことができ、能率を落とすことなく筆記を継続することができる。
【００４１】
ところで、前記した実施の形態によると、シャープペンシルの使用時以外の例えば搬送時などにおいて、前記した触指部材９が振動等を受けて後退動作が繰り返されることで、筆記芯Ｌが不要に繰り出される問題が発生する。
そこで、この実施の形態においては、前記したとおり口先部５とスライダー７との間にロック機構８が形成されている。
【００４２】
すなわち、口先部５には図４および図６に示すように、一対のガイド溝５ｂが形成されており、このガイド溝５ｂ内には、スライダー７の連結部７ａが収容されている。
そして、シャープペンシルを利用しようとするロック機構８の非ロック状態、すなわちスライダー７が前進した図２に示す状態においては、スライダー７の連結部７ａ（この連結部７ａを係止部とも言う。）は、前記ガイド溝５ｂの軸方向の前端部、すなわち軸方向に直交する第１ガイド溝部５ｃに位置する。
【００４３】
この状態においては、リング状に形成された触指部材９を軸方向の後方に向かって指先などで押し上げる操作が可能であり、これによりスライダー７は前記係止部７ａと共にガイド溝５ｂを軸方向に沿って後退する。
そして、前記触指部材９の後退動作に続く前記したスプリング１９の作用によるスライダー７の前進動作により、筆記芯Ｌを先端パイプ６から繰り出すことができる。
【００４４】
一方、図２に示すロック機構８の非ロック状態において、前記触指部材９を左回転させると、スライダー７の係止部７ａは、口先部５に形成された傾斜溝５ｅをせり上がりつつスライダー７を後退させて、スライダー７の係止部７ａは、軸方向に直交する第２ガイド溝部５ｄに係止する。すなわちスライダー７は、図３に示すように後退してロック機構８はロック状態になされる。
【００４５】
このロック状態になされた場合には、前記スライダー７が後退した状態に維持され、当該スライダー７は前記チャックユニット１１に対して軸方向に相対移動するのが阻止される。これにより、筆記芯Ｌが不要に繰り出される問題が解消される。
そして、前記したロック機構８のロック状態を解除するには、前記触指部材９を右回転させることで、図２に示す非ロック状態に戻すことができる。
【００４６】
図９および図１０は、この発明に係るシャープペンシルの第２の実施の形態について示したものであり、この図９および図１０は、第１の実施の形態について示した図２および図３に相当し、ロック機構８の非ロック状態およびロック状態をそれぞれ示している。
この第２の実施の形態においては、先端ガイド部材として機能する先端パイプ６が、スライダー７の先端部に取り付けられている。すなわち先端パイプ６は、スライダー７と共に軸方向に移動可能に構成されており、その他の構成はすでに説明した第１の実施の形態と同様である。
【００４７】
この構成によるシャープペンシルは、オートシャープとも呼ばれており、筆記の進行に伴って筆記芯Ｌが摩耗すると、先端パイプ６が筆記面に当接し、先端パイプ６はスライダー７と共に除々に後退する。
そして、筆記圧が解除された瞬間にスライダー７および先端パイプ６がスプリング１９の作用によって前進するので、スライダー７に配置された保持チャック１０も前進し、これにより筆記芯Ｌが前記ボールチャック１１から引き出される。したがって、筆記により摩耗した分に相当する筆記芯Ｌが自動的に繰り出されることになる。
【００４８】
この第２の実施の形態によると、前記したノックカバー３０をノック操作することにより、また触指部材９を軸方向の後方に向かって押し上げる操作をすることにより、筆記芯Ｌを先端パイプ６から繰り出すことができ、さらに前記したオートシャープとしての機能も併せ持つものとなる。
【００４９】
この第２の実施の形態においても、シャープペンシルの搬送時の振動等を受けて、先端パイプ６が後退動作し、筆記芯Ｌが不要に繰り出される問題を抱えているものの、前記したロック機構８を備えることで、これを解消することができる。
【００５０】
以上説明した実施の形態においては、触指部材９を左回転させることにより、スライダー７を後退させて、ロック機構８をロック状態にするように構成されているが、ロック機構８を構成する第１ガイド溝部５ｃ、第２ガイド溝部５ｄの配置位置、および傾斜溝５ｅの傾斜方向を、実施例に対して軸対称の関係に構成することで、触指部材９を右回転させることで、ロック機構８をロック状態にすることができる。
【００５１】
また、前記した実施の形態においては、スライダー７が後退した位置においてロック状態、すなわちスライダー７の軸方向の移動が阻止されるようになされるが、これはスライダー７が前進した位置においてロック状態となるように構成しても、同様の作用効果を得ることができる。
【００５２】
これには、前記した口先部５に形成されるガイド溝として、口先部の周側面において軸方向に沿った溝と、この溝の前端部に軸方向に直交する溝を連通させてＬ字状の溝を形成することで実現できる。
このＬ字状の溝を形成することにより、スライダー７の前記した係止部７ａは、軸方向の溝に沿って前進し、これに直交する溝に入り込むことができ、これによりスライダー７が前進した状態で軸方向の移動が阻止されるロック状態にすることができる。
【符号の説明】
【００５３】
１      先軸（軸筒）
２      後軸（軸筒）
４      接続部材
４ａ    雄ねじ
５      口先部
５ａ    円柱状先端部
５ｂ    ガイド溝
５ｃ    第１ガイド溝部
５ｄ    第２ガイド溝部
５ｅ    傾斜溝
６      先端パイプ（先端ガイド部材）
７      スライダー
７ａ    連結部（係止部）
７ｂ    環状部材
７ｃ    前端開口
８      ロック機構
９      触指部材
１０    保持チャック
１１    ボールチャック（チャックユニット）
１２    ホルダー
１３    チャック本体部
１４    ボール
１７    チャック用スプリング
１９    スライダー押し出し用スプリング
２２    軸部材
２３    芯ケース
２５    クリップ
２６    ノック操作体
２７    戻しスプリング
３０    ノックカバー
Ｌ      筆記芯
【図１】
2014213548.tif 000003
【図２】
2014213548.tif 000004
【図３】
2014213548.tif 000005
【図４】
2014213548.tif 000006
【図５】
2014213548.tif 000007
【図６】
2014213548.tif 000008
【図７】
2014213548.tif 000009
【図８】
2014213548.tif 000010
【図９】
2014213548.tif 000011
【図１０】
2014213548.tif 000012